(57)【要約】  レーザハンドル（１２）は、主本体部と、使用時に主本体部をレーザカートリッジ（１６）に接続するためのコネクタ（１４）と、を備える。主本体部は、使用時に使用者の指先（４３）の両側と係合可能になっている第１及び第２離間指先係合面（２４、２６）と、指先係合面（２４、２６）の間に介装されたグリップ部（２０）と、を含む。グリップ部は、少なくとも１つの指係合面に対して実質的に横向きである。指係合面（２４）のうちの１つ目は、第１（３６）及び第２（３８）離間指先係合面部分を含むのが好ましい。指係合面部分のうちの１つ（３８）は、コネクタ（１４）の近傍に配置され、最も好ましくは、実質的にレーザカートリッジ（１６）の後縁（４２）の上方且つ後方に配置される。
2014526293.tif 000002
【特許請求の範囲】
【請求項１】
主本体部と、
使用時に前記主本体部をレーザカートリッジに接続するためのコネクタと、
を備え、
前記主本体部は、使用時に使用者の指先の両側と係合可能になっている第１及び第２離間指先係合面と、前記指先係合面の間に介装されたグリップ部と、を含む、レーザハンドル。
【請求項２】
請求項１に記載のレーザハンドルと、レーザカートリッジと、を備え、
前記レーザカートリッジと前記レーザハンドルとは、互いに取り外し自在に接続可能である、かみ剃り。
【請求項３】
前記レーザカートリッジは、長尺状の刃先をもつ１つ以上の刃を備え、
前記長尺状の刃先は、使用時において、使用者の指が前記ハンドルに挿入されるときあるいは前記ハンドルを把持するときの当該使用者の指の長手軸に対して、実質的に直角に向けられている、請求項２に記載のかみ剃り。
【請求項４】
前記第１及び第２離間指先係合面は、使用時において、複数の使用者の指の両側に係合可能になっている、請求項１乃至３のいずれか一項に記載のかみ剃りまたはレーザハンドル。
【請求項５】
前記グリップ部は、少なくとも１つの前記指係合面に対して実質的に横向きである、請求項１乃至４のいずれか一項に記載のレーザハンドル。
【請求項６】
前記指係合面のうちの１つ目は、第１及び第２離間指係合面部分を含んでいる、
、請求項１乃至５のいずれか一項に記載のかみ剃りまたはレーザハンドル。
【請求項７】
前記指係合面部分のうちの１つ目は、前記コネクタの近傍に配置されている、請求項６に記載のかみ剃りまたはレーザハンドル。
【請求項８】
前記指係合面部分のうちの１つ目は、実質的に前記レーザカートリッジの後縁の上方且つ後方に配置されている、請求項６または７に記載のかみ剃りまたはレーザハンドル。
【請求項９】
前記第１及び第２離間指係合面部分は、側方からみたときに、異なる高さに配置されている、請求項６乃至８のいずれかに記載のかみ剃りまたはレーザハンドル。
【請求項１０】
前記コネクタに隣接した隙間または開口を前記ハンドル内にさらに備える、請求項１乃至９のいずれか一項に記載のかみ剃りまたはレーザハンドル。
【請求項１１】
前記隙間または開口は、使用時において、使用者の１つまたは複数の指がレーザハンドルの前方外縁を越えて突出し、選択的に前記レーザカートリッジの前記後縁に係合することを可能にするようになっている、請求項１０に記載のかみ剃りまたはレーザハンドル。
【請求項１２】
前記指係合面のいずれかまたは両方、及び／または、前記グリップ部の一方または両方に配置された弾性変形可能な要素をさらに備えている、請求項１乃至１１のいずれか一項に記載のかみ剃りまたはレーザハンドル。
【請求項１３】
前記弾性変形可能な要素は、高摩擦材料から製造されている、請求項１０に記載のかみ剃りまたはレーザハンドル。
【請求項１４】
前記弾性変形可能な要素は、少なくとも１つの指先係合面の縁部の周りから延び出して、前記ハンドルの縁部に親指グリップを形成している、請求項１２または１３に記載のかみ剃りまたはレーザハンドル。
【請求項１５】
前記弾性変形可能な要素は、グリップ面を形成する１組以上の隆起突起部又は突出部を有する、請求項１２乃至１４のいずれかに記載のかみ剃りまたはレーザハンドル。
【請求項１６】
前記コネクタは、使用時に、前記レーザカートリッジの相補的な形状の係合突出部または凹部に係合するようになっている相対移動可能な係合突出部を有している、請求項１乃至１５のいずれかに記載のかみ剃りまたはレーザハンドル。
【請求項１７】
前記係合突出部は、押ボタンにより互いに対して移動することを作動可能になっている、請求項１６に記載のかみ剃りまたはレーザハンドル。
【請求項１８】
前記押ボタンは、前記指係合面部分に対して反対側となる前記第１指係合面上に配置されている、請求項１７に記載のかみ剃りまたはレーザハンドル。
【請求項１９】
前記押ボタンの配置は、使用時に、使用者の手の第１及び第２指が前記グリップ部の両側にある前記指係合面の間に挿入されたときの使用者の親指の配置に対応している、請求項１８に記載のかみ剃りまたはレーザハンドル。
【請求項２０】
前記コネクタは、分岐縁部を有する雄部分を有し、
前記分岐縁部は、雌部分の概ねＣ字状の受容凹部に確実に係合するようになっている、請求項１乃至１５のいずれか一項に記載のかみ剃りまたはレーザハンドル。
【請求項２１】
前記Ｃ字状の受容凹部は、前記雄部分が前記雌部分に嵌め込まれたときに、互いに向けて前記雄部分の前記分岐縁部を案内するテーパ状の入口を含み、
前記テーパ状の入口は、前記雄部分及び前記雌部分を自然な状態で保持するために、前記雄部分の前記分岐縁部が膨張して入る広い部分に繋がっている、請求項２０に記載のかみ剃りまたはレーザハンドル。
【請求項２２】
前記雄部分の前記分岐縁部は、前記コネクタの前記雌部分のスロットに係合するようになっている垂直突出部をさらに有する、請求項２１に記載のかみ剃りまたはレーザハンドル。
【請求項２３】
前記雄部分及び前記雌部分のいずれかまたは両方が、前記ハンドルまたは前記レーザカートリッジと一体に成形されている、請求項２０乃至２２のいずれか一項に記載のかみ剃りまたはレーザハンドル。
【請求項２４】
前記雄部分及び前記雌部分のいずれかまたは両方が、前記ハンドルまたは前記レーザカートリッジの弾性変形可能な部分と一体に成形されている、請求項２３に記載のかみ剃りまたはレーザハンドル。
【請求項２５】
かみそり用のレーザカートリッジであって、
少なくとも２つの長細貫通孔を有する主本体部と、
当該カートリッジの前方に配置されあるいは当該カートリッジの前方に向かって配置され、２つ以上の刃先を提供する少なくとも１つの刃と、
前記主本体部上に前記１つまたは複数の刃を保持するためのカバーと、
を備え、
前記長細貫通孔は、前記主本体の前面から前記主本体の後面まで延び、
各刃先は、前記長細孔の１つに並べられ、
前記長細孔は、前記カートリッジの前方におけるまたは前方に向かうよりも、前記カートリッジの後方におけるまたは後方に向かう方に広い断面をもつ、かみそり用のレーザカートリッジ。
【請求項２６】
２つ以上の刃を備え、
前記２つ以上の刃のうちの少なくとも２つは、実質的に反対方向に面するように向けられている、請求項２５に記載のレーザカートリッジ。
【請求項２７】
前記主本体部の少なくとも一部にされたゴム引きコーティングをさらに備える、請求項２５または２６に記載のレーザカートリッジ。
【請求項２８】
正面湾曲部分をさらに備える、請求項２５乃至２７のいずれか一項に記載のレーザカートリッジ。
【請求項２９】
請求項２５乃至２８のいずれか一項に記載のレーザカートリッジを備える請求項２乃至２４のいずれか一項に記載のかみそり。
【請求項３０】
添付の図面を参照して詳細な説明に実質的に記載され、添付の図面に実質的に示されたようなレーザハンドル。
【発明の詳細な説明】
【技術分野】
【０００１】
本発明は、かみそりに関し、とりわけしかしそれに制限されないがひげそり及びひげそりハンドルに関する。
【背景技術】
【０００２】
昨今において、市場で主要なかみそりは、使い捨てレーザカートリッジが取り外し可能に取り付けられる取付ポイントをもつハンドルを含んでいる。使用者は、レーザカートリッジを操作し、肌に対してレーザカートリッジを滑らかに動かしてひげそりを達成する。従来のレーザハンドルは、通常エルゴノミクス（人間工学）を考慮して設計される。したがって、湿潤時にハンドルを握ることを助長すべく、使用者の指の位置に対応したグリップ部と、高摩擦成分と、をたいてい有する。
【０００３】
特に体の部分を剃るように最適化されたひげそりが利用可能である。例えば、１つの手のうちの親指と４つの指との間で握られる概ね円筒状のハンドルが挙げられる。このタイプのハンドルは、使用者の顔の比較的対処し難い曲面を剃るときに、適切な接触角を得るべく容易に回転または傾斜され得るので、使用者の顔を剃るのによいと考えられる場合がある。逆に、大きなグリップ面を提供するため使用者の脚を剃るのに特に効果的なよりパッド状のハンドルも利用可能である。パッドタイプの形態は、広い領域を剃るとき、または、比較的長い距離に沿ってかみそりを滑らかに動かすときに、アームの長さでよりよい制御がもたらされる。
【０００４】
かみそりの主要な目的の１つは、接近した剃りを成し遂げることであり、これは、鋭い刃を利用して最適に成し遂げられる。また、１つまたは複数の刃が肌とのかなり近接した接近がもたらされるときに成し遂げられる。最適な剃り成果は、肌にほぼ直接的に接触することがもたらされるかなり鋭い刃を利用して成し遂げられるため、上記の一般的な要求は、使用者の肌を切るおそれに繋がる。
【０００５】
刃が鋭い状態が維持されることをより確実にするために、多くのかみそりシステムは、ハンドルに取り外し可能に取り付け可能であり、切れ味が悪くなったときに廃棄可能である使い捨て可能なレーザカートリッジを利用する。使い捨て可能なレーザカートリッジは、複数の刃を有し、刃を使用者の肌に徐々に近づけるように設定されることが可能である。これにより、接近したかみそりを保持し、無精ひげの長さがあまりにも長いと起こり得るような毛を抜くおそれを低減させる。さらに、複数枚刃レーザカートリッジは、刃に適用される圧力を広範な接触領域に亘って分散させるようなある程度の能力を示す。これにより、切り傷及びかすり傷のリスクを低減させる。
【発明の開示】
【０００６】
しかしながら、使い捨てレーザカートリッジは、刃それ自体の大きさと比較してかさばる（大きくて扱い難い）ことを含む多数の不利な面を難点として持ち、これは、良好なコントロールを成し遂げることを困難とする。その上、複数枚刃レーザカートリッジは、最適に遂行するために肌との大きな接触面積を特に頻繁に要求する。これらの問題点を緩和すべく、多くの使い捨てレーザカートリッジは、肌に対して所望の接触角を自動で採り不正確なハンドル角を補償するように、レーザハンドルに連結されるように設計される。そのような組付けは、強調された上述の問題のいくつかを緩和させる一方で、レーザカートリッジの直接的な制御の全体的な欠如に繋がることもあり、使用に対して扱いにくいまたは直感的に認識しにくいものとなり得る。
【０００７】
本発明は、１つまたは複数の上述の課題に対処すること、及び／または、代替の及び／または改良されたレーザハンドルを提供することを目的とする。
【０００８】
本発明の第１の態様によれば、主本体部と、使用時に前記主本体部をレーザカートリッジに接続するためのコネクタと、を備え、前記主本体部は、使用時に使用者の指の両側と係合可能になっている第１及び第２離間指係合面と、前記指係合面の間に介装されたグリップ部と、を含む、レーザハンドルが、提供される。
【０００９】
本発明の第２の態様によれば、主本体部と、使用時に前記主本体部をレーザカートリッジに接続するためのコネクタと、を備え、前記主本体部は、使用時に使用者の指先の両側と係合可能になっている第１及び第２離間指先係合面と、前記指先係合面の間に介装されたグリップ部と、を含む、レーザハンドルが、提供される。
【００１０】
本発明の第３の態様は、レーザカートリッジとレーザハンドルとを備え、前記レーザカートリッジと前記レーザハンドルとは、互いに取り外し自在に接続可能である、かみ剃りを提供する。前記レーザハンドルは、主本体部と、使用時に前記主本体部をレーザカートリッジに接続するためのコネクタと、を備え、前記主本体部は、使用時に使用者の指の両側と係合可能になっている第１及び第２離間指係合面と、前記指係合面の間に介装されたグリップ部と、を含む。
【００１１】
本発明の第４の態様は、レーザカートリッジとレーザハンドルとを備え、前記レーザカートリッジと前記レーザハンドルとは、互いに取り外し自在に接続可能である、かみ剃りを提供する。前記レーザハンドルは、主本体部と、使用時に前記主本体部をレーザカートリッジに接続するためのコネクタと、を備え、前記主本体部は、使用時に使用者の指先の両側と係合可能になっている第１及び第２離間指先係合面と、前記指先係合面の間に介装されたグリップ部と、を含む。
【００１２】
好ましくは、前記第１及び第２離間指係合面は、使用時において、複数の使用者の指の両側に係合可能になっている。
【００１３】
好ましくは、前記レーザカートリッジは、長尺状の刃先をもつ１つ以上の刃を備え、前記長尺状の刃先は、使用時において、使用者の指が前記ハンドルに挿入されるときあるいは前記ハンドルを把持するときの当該使用者の指の長手軸に対して、実質的に直角に向けられている。
【００１４】
本発明の第５の態様は、かみそり用のレーザカートリッジであって、少なくとも２つの長細貫通孔を有する主本体部と、当該カートリッジの前方に配置されあるいは当該カートリッジの前方に向かって配置され、２つ以上の刃先を提供する少なくとも１つの刃と、前記主本体部上に前記１つまたは複数の刃を保持するためのカバーと、を備え、前記長細貫通孔は、前記主本体の前面から前記主本体の後面まで延び、各刃先は、前記長細孔の１つに並べられ、前記長細孔は、前記カートリッジの前方におけるまたは前方に向かうよりも、前記カートリッジの後方におけるまたは後方に向かう方に広い断面をもつ、かみそり用のレーザカートリッジを提供する。
【００１５】
したがって、本発明と既知のレーザハンドルとの主な相違の１つは、使用者がハンドルを握らなくてはならないというよりもハンドルが使用者の指を握るようになっていることである。実際に、レーザハンドルは、使用者の１つまたは複数の指を延ばすようになり、使用をより直感的及び／またはより自然にさせる。その上、使用者がハンドルを握らなくてはならないというよりもハンドルが使用者の指を握ることから、手における抑えられた力または機能、制限された動き、あるいは、低減された器用さで利用者にとって特に有益となる。
【００１６】
加えて、従来のレーザハンドルは、使用者の手とレーザカートリッジとの間で距離増大／力低減レバーとして作用する。一方、本発明は、使用者の指とレーザカートリッジとの間の相互作用の地点を共にかなり近づけるように移動させることができる。これは、相対的に低い力が所望の刃の圧力を成し遂げるために及ぼされることを必要とすることを意味し、とりわけ、手の力の弱い使用者にとって有利である。さらに、使用者の指とレーザカートリッジとの間の相互作用の地点を共にかなり近づけうることがもたらす効果は、距離の増大における低減、すなわち、ハンドルの小さな動きはレーザカートリッジ大きな動きにはならないということである。この面は、手が震える使用者や器用さが衰えた使用者にとって特に有益である。
【００１７】
前記第１及び第２指係合面は、いずれかの手の、好ましくは使用者の指の形状、最も好ましくは使用者の人差し指及び中指の形状に従うように、エルゴノミクスの観点から成形される。指係合面の間に使用者の指を挿入することで、いずれかまたは両方の指係合面が指に接触するようになり、指をしっかり握ることをもたらす。
【００１８】
好ましくは、前記グリップ部は、少なくとも１つの指係合面に対して実質的に横向きである。すなわち、真横からみたときに、前記断面は実質的にＩ字状である。前記グリップ部は、使用者が、２つの指の側面または指球の間、例えばいずれかの手の人差し指と中指との間あるいはいずれかの手の親指と別の指との間で、前記主本体部を握ることを可能にする。
【００１９】
すなわち、指係合面が１つまたは複数の指の両側を把持することにより、レーザハンドルは、使用時に使用者の指に効果的に取り付けられる。使用者は、２つの指または親指と別の指との間で、あるいは、上記の任意の組み合わせの間でグリップ部を握る。したがって、実際に、レーザハンドルは、レーザカートリッジの位置及び動きの良好な制御をもたらす使用者の延長になる。これは、アームの長さで体の部分例えば脚を剃るときに特に有益である。
【００２０】
レーザハンドルのエルゴノミクス形状のおかげで、指係合面の１つは、たいてい指と部分的または間欠的にのみ接触することから、様々な手／指の大きさとともに本レーザハンドルが用いられる。
【００２１】
好ましくは、前記指係合面のうちの１つ目は、複数の指係合面部分を含んでいる。このような形態によれば、後により詳細に記載されるように、前記レーザハンドルが多数の異なる形態で利用されることが可能になる。好ましくは、前記指係合面のうちの少なくとも１つは、少なくとも２つの離間指係合面部分を含む。本発明の最も好ましい実施の形態において、前記指係合面部分のうちの１つは、前記レーザカートリッジのための前記コネクタの近傍に配置され、さらに最も好ましくは、実質的に前記レーザカートリッジの後縁の上方且つ後方に配置される。使用者が自身の指を前記レーザカートリッジ上に亘って配置することを可能にすることで、前記カートリッジのかなり優れた程度の制御が指先によって行使され得る。
【００２２】
好ましくは、前記コネクタに近接して配置された前記指係合面部分に隣接した前記コネクタに隣接して、前記ハンドル内に隙間または開口が設けられる。これにより、使用者の１つまたは複数の指がレーザハンドルの前方外縁を越えて突出し、直接的に前記レーザカートリッジの前記後縁に係合することが可能になる。
【００２３】
指係合面のいずれかまたは両方が、異なる位置でさらなる指係合面部分を備えてもよく、これにより、ハンドルが種々の形態で利用されることが可能になる。複数の指係合面部分は、側方からみたときに、異なる高さ及び／または異なる距離で配置されてもよい。
【００２４】
好ましくは、弾性変形可能な要素が、前記指係合面のいずれかまたは両方、及び／または、前記グリップ部の一方または両方に配置される。弾性変形可能な要素は、使用時に、グリップ圧またはグリップ力を使用者の指にかけるようになっていてもよい。前記弾性変形可能な要素が設けられる場合、好ましくは、前記弾性変形可能な要素は、湿潤時やせっけんの泡だらけの時に前記レーザハンドルを握ることを助けるべく、ゴムのような高摩擦材料から製造される。
【００２５】
好ましくは、前記コネクタは、使用時に、前記レーザカートリッジの相補的な形状の係合突出部または凹部に係合するようになっている相対移動可能な係合突出部を有する。前記係合突出部は、前記レーザハンドル上のどこかに配置され得る押ボタンにより互いに対して移動することを作動可能になっている。最も好ましくは、前記押ボタンが設けられる場合、前記押ボタンは、前記指係合面部分に対して反対側となる前記第１指係合面上に配置されている。すなわち、前記押ボタンの配置は、使用時に、使用者の手の第１及び第２指が前記グリップ部の両側にある前記指係合面の間に挿入されたときの使用者の親指の配置に対応している。
【００２６】
例示のみを目的として本発明の好ましい実施の形態が添付の図面を参照してここに記載される。
【図面の簡単な説明】
【００２７】
【図１】図１は、本発明に従った第１の実施の形態のレーザハンドルを備えるひげ剃りの上方及び後方からの斜視図である。
【図２】図２は、図１のひげそりハンドルの上方及び前方からの斜視図である。
【図３】図３は、図１のひげ剃りハンドルの側面図である。
【図４】図４は、図１のひげ剃りハンドルの前方からの端面図である。
【図５】図５は、図１のひげ剃りハンドルの後方からの端面図である。
【図６】図６は、図１のひげ剃りハンドルの上方からの平面図である。
【図７】図７は、図１のひげ剃りハンドルの下方からの平面図である。
【図８】図８は、モデル１に利用される図１のひげ剃りの概略部分側面図である。
【図９】図９は、モデル２に利用される図１のひげ剃りの概略部分側面図である。
【図１０】図１０は、モデル３に利用される図１のひげ剃りの概略部分側面図である。
【図１１】図１１は、本発明に従った第２の実施の形態のかみそりの前方及び上方からの斜視図である。
【図１２】図１２は、図１１に示されるひげそりの上方及び後方からの斜視図である。
【図１３】図１３は、使用者に握られた状態で、図１１及び図１２に示されるひげそりの下方及び後方からの斜視図である。
【図１４】図１４は、図１１乃至図１３に示されるようなレーザカートリッジの前方からの斜視図である。
【図１５】図１５は、図１４のレーザカートリッジの後方からの斜視図である。
【図１６】図１６は、図１１乃至図１５のコネクタを通る概略断面図である。
【発明を実施するための形態】
【００２８】
図１及び図３において、本発明に従った第１の実施の形態のひげ剃り１０が、使い捨てレーザカートリッジ１６にコネクタ１４を用いて取り外し自在に接続可能であるレーザハンドル１２を備えている。図２及び図４乃至図７は、レーザカートリッジが取り除かれているが同じレーザハンドルのさらなる図である。
【００２９】
以下の記述では、言及される方向及び向き（例えば上方、下方、前方、頂方及び後方のような）は、ハンドルはいずれかの軸の周りを回転させられ得ることが好ましいが、図面に示されたようなハンドルの向きに当該記述内で一致する。ハンドルがいずれかの軸の周りを回転させられ得る場合、方向及び向きへのそのような言及は、それに応じて解釈される必要があるであろう。
【００３０】
第１の実施の形態のレーザハンドル１２は、概ね平坦な中央指間部分２０を有する主本体部を備えている。中央指間部分２０はグリップとして機能し、当該中央指間部分２０を利用して、使用時に、ハンドル１２が使用者の２つの指（不図示）の間で握られ得る。中央指間部分２０の第１縁部２２は、第１指係合曲面２４の中央から実質的に横断方向に延び出している。一対の羽根部分２６が、中央指間部分２０の対向縁部２８から、実質的に横断方向外方に反対方向に向かって延び出している。
【００３１】
図４及び図５から最もよく分かるように、主本体部は、使用者の指の先端（不図示）を受容するべく、背合わせの一対のＣ字状の凹部２１を規定する概ねＩ字状の断面を有している。主本体部１８の内面には、高摩擦ゴム挿入部３２が設けられている。高摩擦ゴム挿入部３２は、既知の二回射出の共射出成形工程にて形成される。高摩擦ゴム挿入部３２は、レーザハンドルの快適さを改善し、湿潤時及び／またはせっけんの泡だらけの時に使用者の指（不図示）に対して滑ることを抑制する弾性変形／従順表面を提供する。
【００３２】
第１指係合曲面２４は、中央指間部分２０の中心線に対して対称であり、各側は、中央指間部分２０から下方に傾斜する（図面に示されるように）最後方縁部３４を有する。第１指係合面２４は、最後方縁部３４から前方に延び、第１湾曲凹部３６を形成するように沈んでいる。第１湾曲凹部３６は、レーザカートリッジ１６に隣接する前縁４０で終端する隆起高台部分３８を形成するように持ち上がる前に、使用者の指先の指球の形状に実質的に従うように成形される。図示された実施の形態において、以下に説明される理由のために、隆起高台部分３８の高さは、レーザカートリッジ１６の後縁４２の高さに相当する。
【００３３】
羽根部分２６も、中央指間部分２０の中心線に対して対称であり、各羽根は、中央指間部分２０から上方に傾斜する（図面に示されるように）最後方縁部４４を有する。羽根部分２６は、最後方縁部４４から前方に延び、図４に最もよく示されているように、使用者の指先の頂部の形状に実質的に従うようにわずかに曲がっている。羽根部分２６は、図４に最もよく示されているように、使用者の指（不図示）が羽根部分２６付近に設けられた隙間４３を通って前方にさらにはレーザカートリッジ１６の後縁４２上に突出することができるように、レーザカートリッジ１６から離れた位置で終端することに留意されたい。
【００３４】
図７において、レーザハンドル１２が一対の離間コネクタ１４を備えることが視られ得る。一対の離間コネクタ１４は、使い捨て可能なレーザカートリッジ１６のリブ（不図示）に設けられた相補的な形状の凹部に係合するように、互いから離れるように外方に押圧されるようにして弾性的に偏らせられる。レーザカートリッジ１６は、簡易な押圧動作により所定の位置で摘まれ、これにより、コネクタ１４が内方に変形してレーザカートリッジ１６のリブに確実に係合してカチっと音がする。レーザカートリッジ１６を取り換えることが望まれるときには、使用者は、親指を利用して、ハンドル１２の下側に設けられた解放ボタン５４を押すことができる。解放ボタン５４は、内部レバーシステム（不図示）によってコネクタ１４に接続されている。内部レバーシステムは、コネクタ１４を互いに向けて移動させ、これによりレーザカートリッジ１６を解放する。有利なことに、押ボタン５４は、使用時に使用者の親指に対応する位置に設けられており、カートリッジ１６を所定の位置で摘まむことを可能にし、且つ、一方の手でハンドル１２を保持し残りの手でレーザカートリッジ１６を保持することでレーザカートリッジ１６を取外すことを可能にする。
【００３５】
図示されたレーザハンドル１２は、図８、９、及び１０に概略的に示されたような３つの形態の任意の１つで利用されることが可能である。
【００３６】
図８において、ひげ剃り１０は、「グレーンと共に」剃るための「形態１」で利用されている。この場合、指先の指球４６が第１湾曲凹部３６と係合し羽根部分２６が指の背面４８と間欠的に接触するようにして、指４５がＣ字状の凹部２１内に挿入される。指４５を曲げることで、レーザカートリッジ１６は、概ね下方向の動きで（図８に矢印５１で示されるように）動かされ、剃られる肌５０に対してアーチ状の経路を描き得る。
【００３７】
図９において、ひげ剃り１０は、「グレーンに逆らって」剃るための「形態２」で利用されている。この場合、指先の指球４６が羽根部分２６と係合し指係合曲面２４が指の背面４８と間欠的に接触するようにして、指４５がＣ字状の凹部２１内に挿入される。この場合、指４５を伸ばすことで、レーザカートリッジは、概ね上方向の動きで（図９に矢印５３で示されるように）動かされ、剃られる肌５０に対してアーチ状の経路を描き得る。
【００３８】
例えばあごひげや口ひげや頬ひげに沿うような、極めて接近した剃りが要求される状況あるいは正確な軌跡が要求される状況では、使用者は、図１０に示されるように、「形態３」でレーザハンドル１２を利用する。「形態３」は、「形態１」の変形形態である。「形態３」において、使用者の指先の指球４６が隆起高台部分３８上に留まるか隆起高台部分３８とレーザカートリッジ１６の後縁４２とに跨がるように、使用者は、主本体部１２上で使用者の指４５を前方にスライド（滑らかに移動）させる。形態３は、使用者の指４５とレーザカートリッジ１６との間のより直接的な結合を提供し、細かなまたは極めて接近した剃りがもたらされることを可能にする。
【００３９】
図１１乃至図１５は、本発明に従った第２の実施の形態のかみそりを示している。明確性のために、図１乃至図１０に関連して上述された同一の特徴と同一に取扱うべく、同一の参照符号が図１１乃至図１５に関連して利用される。
【００４０】
図１１乃至図１５において、本発明に従った第２の実施の形態のひげ剃り１０が、使い捨てレーザカートリッジ１６にコネクタ１４を用いて取り外し自在に取り付け可能であるレーザハンドル１２を備えている。第２の実施の形態のレーザハンドル１２は、概ね平坦な中央指間部分２０を有する主本体部を備えている。中央指間部分２０はグリップとして機能し、当該中央指間部分２０を利用して、使用時に、ハンドル１２が使用者の２つの指（不図示）の間で握られ得る。中央指間部分２０の第１縁部２２は、第１指係合曲面２４の中央から実質的に横方向に延び出している。一対の羽根部分２６が、中央指間部分２０の対向縁部２８から、実質的に横方向外方に反対方向に向かって延び出している。
【００４１】
図１２から最もよく分かるように、主本体部１２は、使用者の指の先端（不図示）を受容するべく、概ねＩ字状の断面を有し、背合わせの一対のＣ字状の凹部２１を規定している。主本体部１８の内面には、高摩擦ゴム挿入部３２が設けられている。高摩擦ゴム挿入部３２は、二回射出の共射出成形工程にて形成される。高摩擦ゴム挿入部３２は、レーザハンドルの快適さを改善し、湿潤時及び／またはせっけんの泡だらけの時に使用者の指（不図示）に対して滑ることを抑制する弾性変形／従順表面を提供する。これを促進するために、高摩擦ゴム挿入部３２は、多数の組の実質的に平行なリブ３３を有している。リブ３３は、高摩擦ゴム挿入部３２の表面から突出している。図１３から特に、使用時にひげ剃り１０を握ること及び操作することを助長する親指グリップ７１を、使用者の親指の指球７３に提供するように、高摩擦ゴム挿入部３２及びリブは、低い指先係合面の縁部の周りを取り囲むように形成されることに留意されたい。
【００４２】
第１指係合曲面２４は、中央指間部分２０の中心線に対して対称であり、各側は、中央指間部分２０から下方に傾斜する（図面に示されるように）最後方縁部３４を有する。第１指係合面２４は、最後方縁部３４から前方に延び、第１湾曲凹部を形成するように沈んでいる。第１湾曲凹部は、レーザカートリッジ１６に隣接する前縁４０で終端する隆起高台部分３８を形成するように持ち上がる前に、使用者の指先の指球の形状に実質的に従うように成形される。図示された実施の形態において、以下に説明される理由のために、隆起高台部分３８の高さは、レーザカートリッジ１６の後縁４２の高さに相当する。また、隆起高台部分３８には、使用時にレーザハンドル１２と使用者の指先との相対的な滑りを減らすために、高摩擦ゴム挿入部内に形成された横リブ３５の組が設けられている。
【００４３】
羽根部分２６も、中央指間部分２０の中心線に対して対称であり、各羽根は、中央指間部分２０から上方に傾斜する（図面に示されるように）最後方縁部４４を有する。羽根部分２６は、最後方縁部４４から前方に延び、図１２に最もよく示されているように、使用者の指先の頂部の形状に実質的に従うようにわずかに曲がっている。羽根部分２６は、図４に最もよく示されているように、使用者の指（不図示）が羽根部分２６付近に設けられた隙間４３を通って前方にさらにはレーザカートリッジ１６の後縁４２上に突出することができるように、レーザカートリッジ１６から離れた位置で終端することに留意されたい。
【００４４】
レーザカートリッジ１６は、コネクタ１４を介してハンドル１２に接続されている。コネクタ１４は、カートリッジの裏から後方に突出する雄部分１５を有している。雄部分１５は、レーザハンドル１２の前縁から前方に突出する雌部分１７に係合する。図１３、１５及び１６に最もよく示されているように、雄部分１５は、レーザカートリッジ１６の主本体１９に一体に成形された樹脂製の突出部を有している。雄突出部は、分岐縁部を有している。分岐縁部は、突出部１５の２つの垂直傾斜枝部６１が雌コネクタ部分１７内に押し込まれたときに、これらが互いに向かって弾性変形することを可能にする。雌コネクタ部分１７は、雄部分１５用の略Ｃ字状の受容凹部６３を有している。雄コネクタ部分１５と受容凹部６３とが共に押込嵌めまたは嵌め合わされたときに、受容凹部６３は雄コネクタ部分１５に確実に係合する。略Ｃ字状の受容凹部は、テーパ状入口６５を有している。テーパ状入口６５は、カートリッジ１６が所定の位置内に嵌め合わせられたときに雄部分１５の分岐縁部６１を互いに向けて案内し、広い部分６７に導く。広い部分６７内において、雄部分１５の分岐縁部６１が所定の位置でカートリッジ１６を保持するように拡がることができる。雌部分１７も、レーザハンドル１２の主本体部と一体部品として製造される。
【００４５】
雄部分１５の分岐縁部６１は、一対の垂直突出部６９をさらに有している。垂直突出部６９は、コネクタ１４の雌部分１５のスロットに係合して、レーザカートリッジ１６及びハンドル１２の相対的な横方向の滑りを抑制乃至妨げ、さらにはハンドル１２に対するレーザカートリッジ１６の動きを制限する。許容される相対移動量は、コネクタ１４の雄部分の種々の部品と雌部分１７の種々の部品との間の隙間の適切な選定により決定され得る。
【００４６】
コネクタ部品の一方に分岐縁部を設けることは、２つの効果を生じさせる。第１に、分岐縁部の傾斜枝部が雌部の受容凹部に嵌まるように変形するので、カートリッジがハンドルと確実にスナップ係合することができる。第２に、枝部の変形によってカートリッジがハンドルに対して旋回することを可能にする一方で、枝部の動作がＣ字状受容凹部を外方に押すことにより、旋回力が取り除かれたときにカートリッジが中央位置に跳ね戻ることを可能にする。
【００４７】
レーザハンドル１２の主本体及びカートリッジ１６の主本体部１９は、両方とも、弾性変形可能な材料である射出成形されたポリプロピレンから製造される。そのようなものとして、ハンドル１２とカートリッジ１６との間のコネクタ１４は、異なる方向に曲がることができる。これにより、使用時に、ハンドル１２とカートリッジとの間の制限された量の相対移動を許容する。このような構成によれば、カートリッジ１６の向きを、剃り動作の平面に従わせることができる。従って、カートリッジ１６の刃２１と剃られる毛の根元との間の良好な接触をより確実に行うことができる。
【００４８】
本発明の第２の実施の形態のカートリッジ１６とハンドル１２との間の接続構造は、第１の実施の形態に関連して示された接続構造よりも簡略であることに留意されたい。弾性変形可能な材料から、雄及び雌接続部品を、ハンドル及びカートリッジの主本体部と一体に成形することで、可動部品を必要とすることなく、取り外し可能な関節接続された相互接続部を得ることができる。これにより、ひげ剃り１０の製造を簡略化し、不良品の可能性を低減し、さらにはひげそりをより使用しやすくすることができる。
【００４９】
上記の図１乃至図１０に関連して記載されたような本発明の代替の実施の形態が、同一または類似の効果を得るように、ハンドル１２とカートリッジ１６との間の関節接続を利用することが可能である。最も好ましくは、カートリッジ１６がハンドル１２に対して移動自在になることを所望の程度に抑えるように、端部停止または構成要素の弾性力のいずれかによって相対移動量が制限される。
【００５０】
ひげ剃り１０のカートリッジ１６が図１４及び図１５に詳細に示されている。図１４及び図１５から、カートリッジ１６が４つの部品すなわち主本体部１９、一対の細片刃２１及びカバー２３から作られることがわかる。主本体部１９には、ゴム引きコーティング２５が設けられている。ゴム引きコーティング２５は、カートリッジ１６が使用時に使用者の顔上を滑らかに動くときにカートリッジ１６をクッションとして保護するように機能する。刃２１はカバー２３によって定位置で保持される。カバー２３は、カートリッジ１６が使用者の肌に対して所望の角度に適応されることを可能にする正面湾曲部分２７と、刃２１を主本体部１９に押し付けるように主本体部１９内の孔を通って延びる一対のリム部２９と、を有している。リム部２９の端部は、カバー２３が主本体部１９から分離することを妨げるべく、スポット溶接または溶解されている。
【００５１】
特に図１４から理解されるように、カートリッジ１６の主本体部の後部は、一対の長細孔３１を有している。一対の長細孔３１の位置は、カートリッジ１６の正面にある刃の前縁に対応する。既知のレーザカートリッジでは、この細孔は、剃ってる間に毛による細孔の妨害を導き得る交差部材と平行に並べられている及び／または前記交差部材によって部分的に遮られている。一方、本発明において、長細孔３１は、毛がより容易に流され去ることを可能にすべく有効に解放しており、カートリッジを通る水の流れ及びカートリッジの周りの水の流れに明確な通路を提供する。特に図１４に示されているように、長細孔３１は、水を使用してカートリッジから切断された毛を流すことを促進するために、略Ｖ字状の断面を有している。また、示された実施の形態は長細孔３１を部分的に遮る交差部材を有していないこと、及び、カートリッジ１６はコネクタ１４を介してハンドル１２から離間されており、これにより使用時にカートリッジ１６の清掃を大きく促進させることに留意されたい。
【００５２】
第２の実施の形態のひげ剃りは、上述された３つの形態のいずれにおいても利用され得る。使用者がハンドルをひっくり返し（図９に示されるように）使用者の指をハンドルに再び挿入する必要なく、グレーンに対してひげ剃り１０を操作することができるよう、カートリッジ１６の刃２１は、反対方向に面するように適応されている。
【００５３】
とりわけ、主本体部１２の全体の形状は、使用に対して直感的に認識され、エルゴノミクスに合わせて設計されている。すなわち、主本体部１２の全体の形状は、ハンドル１２がどのように使用されるべきか、視覚的印象から直ちに明らかとなるように設計されている。その上、使用者は、レーザカートリッジの位置及び動きをより高くより直接的に制御するので、コネクタ１６は、ハンドル１２とレーザカートリッジ１６との間に関節接続を必ずしも提供する必要がなく、これによりその構造を簡略化させることができる。
【００５４】
ハンドル１２は、例えばアクリロニトリル−ブタジエンスチレン（ＡＢＳ）、ポリエチレン（ＰＥ）及びポリプロピレン（ＰＰ）のような耐久性のある軽量な樹脂材料から製造されるのが好ましいが、良好な効果に対して利用されるであろう金属や複合材料等を含む他の材料から製造されてもよい。ハンドルの相対的に小さな大きさや軽量構造の利点は以下を含む。使用時に、本ハンドルの重さが従来のレーザハンドルと比較して低減されたため、「重さがほとんどない」と感じさせるようになる。低減された容積は保管及び輸送をより容易にすることを意味する。材料使用及び／または製造におけるコスト及び／または寿命時での廃棄の点で全体的に減少させる。
【００５５】
本発明は、単に例示された前述した実施の形態の詳述に限定されない。例えば、ハンドルの形状、寸法及び構造や、刃／レーザカートリッジをハンドルに接続する形態や、押ボタンの位置や、製造の材料等は、本発明から逸脱することなく変更されることが可能である。
【図１】
2014526293.tif 000003
【図２】
2014526293.tif 000004
【図３】
2014526293.tif 000005
【図４】
2014526293.tif 000006
【図５】
2014526293.tif 000007
【図６】
2014526293.tif 000008
【図７】
2014526293.tif 000009
【図８】
2014526293.tif 000010
【図９】
2014526293.tif 000011
【図１０】
2014526293.tif 000012
【図１１】
2014526293.tif 000013
【図１２】
2014526293.tif 000014
【図１３】
2014526293.tif 000015
【図１４】
2014526293.tif 000016
【図１５】
2014526293.tif 000017
【図１６】
2014526293.tif 000018
【国際調査報告】
2014526293.tif 000019
2014526293.tif 000020
2014526293.tif 000021
2014526293.tif 000022
2014526293.tif 000023